(57)【要約】【課題】排出源の異なる複数の廃水を処理する際に、有機物濃度の高い廃水が集中的に排出されても、安定した処理性能が得られるバイオ製剤を用いた廃水処理方法を提供する。【解決手段】排出源の異なる複数の廃水を浄化槽で一括して処理する廃水処理方法において、有機物濃度が高い廃水を流量調整装置に導入し、有機物濃度が高い廃水の排出量を流量調整装置を用いて緩和してから有機物濃度の低い廃水に合流させて浄化槽に導入し、浄化槽にバイオ製剤を添加して処理する。【選択図】   図１
2007313446.tif 000002
【特許請求の範囲】
【請求項１】
排出源の異なる複数の廃水を浄化槽で一括して処理する廃水処理方法において、有機物濃度が高い廃水を流量調整装置に導入し、有機物濃度が高い廃水の排出量を流量調整装置を用いて緩和してから有機物濃度の低い廃水に合流させて浄化槽に導入し、浄化槽にバイオ製剤を添加して処理することを特徴とする廃水処理方法。
【請求項２】
排出源の異なる複数の廃水を浄化槽で一括して処理する廃水処理方法において、有機物濃度が高い廃水と有機物濃度が低い廃水とを同一の廃水経路で、浄化槽に導入し、浄化槽にバイオ製剤を添加して処理する際に、廃水を浄化槽に導入する前に検知装置を用いて有機物濃度が高い廃水の流入を検知したときは、廃水を流量調整装置に導入し、有機物濃度が高い廃水の排出量を流量調整装置を用いて緩和して浄化槽に供給することを特徴とする廃水処理方法。
【請求項３】
前記検知装置が、廃水の温度を検知する機器であることを特徴とする請求項２記載の廃水処理方法。
【請求項４】
前記バイオ製剤が、有機物の分解能力が高いバチルスの単菌からなることを特徴とする請求項１から３のいずれかに記載の廃水処理方法。
【発明の詳細な説明】
【技術分野】
【０００１】
本発明は、店舗、工場、事業所等から排出される排出源が異なることにより有機物濃度が異なる複数の廃水を処理する廃水処理方法に関する。
【背景技術】
【０００２】
店舗、工場、事業所等の施設から排出される廃水は、例えば、トイレ、流し、厨房のように複数の排出源を有している。そして、それぞれの排出源によって、排出量の時間変動のパターンや有機物濃度は大きく異なる。
このような廃水を処理する方法として、従来は、排出源の異なる廃水を一括して廃水処理装置に導入して処理する装置が一般的であり、処理装置として浄化槽が適用されている。
【０００３】
しかしながら、ある排出源からの廃水は、他と比較して有機物濃度が非常に高く、且つ極めて短時間に集中して排出される場合がある。例えば、厨房からの調理による廃水や、残飯の処分により排出される廃水等がこれに該当する。
このような場合に、浄化槽への流入負荷の変動が著しく大きくなり、浄化槽の処理性能が低下し、結果として処理水が悪化するという問題があった。また、有機物濃度の非常に高い廃水が流入する場合、排出量の時間変動が小さくても、廃水全体の有機物負荷量は増大する。
このため、従来の方法では、大型の浄化槽が必要となることから、浄化槽の設置に係る費用が高価となり、さらに、設置面積が大きくなるため、場所によっては設置が困難となる問題もあった。
また、浄化槽としてバイオ製剤を用いて排水を処理する方法が知られている（例えば、特許文献１参照。）。
しかしながら、浄化槽への流入負荷の変動が大きいと、浄化槽の処理性能が低下してしまうという問題があった。
【特許文献１】特開２００４−２１６３５３号公報
【発明の開示】
【発明が解決しようとする課題】
【０００４】
そこで、本発明はこのような課題を解決するためになされたものであり、排出源の異なる複数の廃水を処理する際に、有機物濃度の高い廃水が集中的に排出されても、安定した処理性能が得られるバイオ製剤を用いた廃水処理方法を提供することを目的とする。
【課題を解決するための手段】
【０００５】
本発明の第一の発明は、排出源の異なる複数の廃水を浄化槽で一括して処理する廃水処理方法において、有機物濃度が高い廃水を流量調整装置に導入し、有機物濃度が高い廃水の排出量を流量調整装置を用いて緩和してから有機物濃度の低い廃水に合流させて浄化槽に導入し、浄化槽にバイオ製剤を添加して処理することを特徴とする廃水処理方法に関する。
【０００６】
本発明の第二の発明は、排出源の異なる複数の廃水を浄化槽で一括して処理する廃水処理方法において、有機物濃度が高い廃水と有機物濃度が低い廃水とを同一の廃水経路で、浄化槽に導入し、浄化槽にバイオ製剤を添加して処理する際に、廃水を浄化槽に導入する前に検知装置を用いて有機物濃度が高い廃水の流入を検知したときは、廃水を流量調整装置に導入し、有機物濃度が高い廃水の排出量を流量調整装置を用いて緩和して浄化槽に供給することを特徴とする廃水処理方法に関する。
【０００７】
上記検知装置は、廃水の温度を検知する機器とすることが好ましい。
調理廃液等は高温のまま廃棄されることが多く、例えば、うどん等麺類の煮汁やおでんの煮汁は、高温で短時間に集中的に廃棄される。これらの廃水は高い有機物濃度（ＢＯＤとして５０００〜３００００ｍｇ／Ｌ）を有し、４０〜９０℃と高い温度で廃棄される。
これに対して、例えば、手洗い水、清掃廃水、食器洗浄水等の廃水は、前述の廃水と比較して、有機物濃度が低く（ＢＯＤとして５００ｍｇ／Ｌ以下）、室温程度（１０〜３０℃）で廃棄される。このため、廃水の温度を検知することで、高温かつ高濃度の廃水だけを流量調整槽に送ることができる。
【０００８】
また、バイオ製剤は有機物の分解能力が高いバチルスの単菌からなることが好ましい。このバイオ製剤を用いると、廃水中の有機物がより短時間で分解されるため、新設の浄化槽であればより人槽の少ない浄化槽が選定でき、既設の浄化槽であれば、計画値よりも高い負荷を有する廃水が流入しても、良好な処理性能が得られる。
【発明の効果】
【０００９】
本発明に係る廃水処理方法によれば、排出源の異なる複数の廃水を処理する廃水処理方法において、浄化槽に流入する廃水の負荷変動を小さくし、処理性能を安定化することができる。また、浄化槽にバイオ製剤を添加することで、生物処理槽の処理性能が向上するため、浄化槽の処理負荷量が大きくなり、従来技術と比較して浄化槽を小型化することができる。
【発明を実施するための最良の形態】
【００１０】
まず、図１を参照して、第一の発明による廃水処理方法の一例について説明する。
【００１１】
本発明の廃水処理方法に用いられる装置は、流量調整装置４と、浄化槽５と、バイオ製剤の添加装置６と、これらを接続する移送管とによって構成される。
有機物濃度の高い廃水は、高濃度廃水管１２によって流量調整装置４に導入する。
【００１２】
流量調整装置４は、有機物濃度が高く、且つ短時間に集中的に排出される廃水の流量を調整する装置であり、例えば、廃水を貯留する受け槽と、貯留した廃水を定量的に移送するポンプとからなる。
流量調整装置４により流量を調整された廃水は、流量調整廃水管１４を通って有機物濃度の低い廃水が流れている低濃度廃水管１３に合流させ、後段の浄化槽５に送られる。
流量調整装置は、例えば、有機物濃度の高い廃水が１日に１回集中的に排出される場合には、廃水１日分の有効容積を有する槽と、貯留した廃水を１８〜２４時間で排出するポンプとから構成することができる。
【００１３】
浄化槽５は、排出源の異なる廃水を生物処理法によって一括して処理する装置であり、一般的な合併処理浄化槽を適用することができる。浄化槽５では、廃水中の有機物を微生物の働きによって分解し、清澄な処理水を放流管１５から系外に放流する。
【００１４】
添加装置６は、浄化槽５の生物処理槽の処理性能を向上させるために、定量的にバイオ製剤を添加する装置であり、例えば、バイオ製剤を貯留するタンクと、貯留したバイオ製剤を浄化槽５に供給するポンプとからなる。ポンプは、少量のバイオ製剤を定量的に添加できる機種が適している。ただし、バイオ製剤は、添加装置を設けずに、直接添加することも可能である。
バイオ製剤は、浄化槽５における有機物の分解能力の向上を目的として添加するものであり、バチルスの単菌からなる製剤が適している。
【００１５】
上述の廃水処理方法は、有機物濃度が高い廃水と有機物濃度が低い廃水とを別経路で集水できる場合に適用される。
【００１６】
次に、有機物濃度の高い廃水と有機物濃度が低い廃水が同一の経路で排出される場合の第二の発明による廃水処理方法の例を図２に基づいて説明する。
廃水処理装置は、検知装置２と、切換え装置３と、流量調整装置４と、浄化槽５と、 バイオ製剤添加装置６と、これらを接続する移送管とによって構成される。
【００１７】
有機物濃度の高い廃水と有機物濃度が低い廃水は、廃水管１１を通して切換え装置３に流入する。
【００１８】
検知装置２は、有機物濃度の高い廃水の流入を、有機物濃度が低い廃水と区別して検知する装置である。
検知する手段として、例えば、うどん等麺類の煮汁やおでんの煮汁は、４０〜９０℃程度で流しに廃棄される。このような廃水は、４０℃以上で排水口の近傍の配管内を流れるので、このような箇所に検知器を設けることによって、室温程度で流入する他の手洗い廃水等の温度と区別することができる。
【００１９】
切換え装置３は、検知装置２が有機物濃度の高い廃水の流入を検知することによって、廃水経路を切換える装置である。有機物濃度の高い廃水が流入した場合、検知装置２より切換え装置３に信号が送られ、廃水の移送経路が低濃度廃水管１３から高濃度廃水管１２に切換えられ、有機物濃度の高い廃水が高濃度廃水管１２によって流量調整装置４に導入される。有機物濃度の高い廃水が有機物濃度の低い廃水に変わると、検知装置２によってそれが検知され、検知装置２から切換え装置３に信号が送られ、廃水の移送経路が高濃度廃水管１２から低濃度廃水管１３に切り換えられ、有機物濃度の低い廃水が低濃度廃水管１３によって直接浄化槽５に導入される。
【００２０】
その後の処理は、前述の図１による方法と同様である。
【実施例】
【００２１】
実施例１（第一の発明）
おでんを調理、販売し、おでんの煮汁（ＢＯＤ２０，０００ｍｇ／Ｌ）が１日に１回、１０Ｌ廃棄され、その他の廃水（ＢＯＤ２６０ｍｇ／Ｌ）は２ｍ3／日程度が排出される浄化槽設置の店舗において、おでんの煮汁のみを廃棄する排出口を設置し、排出口の後段に有効容積１０Ｌの槽と、吐出量７〜１０ｍＬ／分のポンプとからなる流量調整装置を設置し、集中的に排出されるおでんの煮汁の排出変動を緩和させた。また、浄化槽にはバチルス単菌からなるバイオ製剤を流入水量に対して０．１７ｍｇ／Ｌとなるように定量的に添加した。
その結果、浄化槽の処理性能が向上し、流量調整装置の設置及びバチルス単菌からなるバイオ製剤を添加する以前では、処理水のＢＯＤが７０〜１５０ｍｇ／Ｌであったが、本発明によって２０ｍｇ／Ｌ以下となった。
【００２２】
実施例２（第二の発明）
おでんを調理、販売し、おでんの煮汁（ＢＯＤ２０，０００ｍｇ／Ｌ）が１日に２回、１０Ｌずつ廃棄され、その他の廃水（ＢＯＤ２６０ｍｇ／Ｌ）は２ｍ3／日程度が排出される浄化槽設置の店舗において、おでんの煮汁とその他の廃水を排出する管路に、温度検知器と検知器が４０℃以上の廃水を検知すると廃水を流量調整槽に導入する廃水経路へ切換える切換え装置を設置した。流量調整槽は、有効容積１０Ｌの槽と、吐出量１４〜１９ｍＬ／分のポンプとからなり、集中的に排出されるおでんの煮汁の排出変動を緩和させた。具体的には、おでんの煮汁は朝９時頃及び夜９時頃の２回排出されるため、流量調整装置により、１回の排出量である１０Ｌを、９〜１２時間かけて、浄化槽に移送した。また、浄化槽にはバチルス単菌からなるバイオ製剤を１月に１回１０ｇずつ直接添加した。
その結果、浄化槽の処理性能が向上し、流量調整装置の設置及びバチルス単菌からなるバイオ製剤を添加する以前では、処理水のＢＯＤが６０〜１００ｍｇ／Ｌであったが、本発明によって２０ｍｇ／Ｌ以下となった。
【図面の簡単な説明】
【００２３】
【図１】第一の発明の廃水処理方法の処理フロー図
【図２】第二の発明の廃水処理方法の処理フロー図
【符号の説明】
【００２４】
１１  廃水管
１２  高濃度廃水管
１３  低濃度廃水管
１４  流量調整廃水管
１５  放流管
２  検知装置
３  切換え装置
４  流量調整装置
５  浄化槽
６  添加装置
【図１】
2007313446.tif 000003
【図２】
2007313446.tif 000004